(57)【要約】      （修正有）【課題】システム手帳本来の機能をさらに発展させて、メモを作成する場合にテンプレートを用いることができるようにして、手帳の使用に際してユーモアや、ウィットなどの遊び心を体験できるようにする。【解決手段】システム手帳に用いるテンプレート１０において、プラスチック板などで形成されたテンプレート本体と、このテンプレート本体の一縁に沿って規則的に配置されて形成された複数個のファイリング孔１１Ａと、前記テンプレート本体に形成された透孔形式の形態表現孔群１４と、前記ファイリング孔は少なくとも手帳が備えるファイリングリングに保持される２つ以上の孔と、これらの孔の中間位置に穿けてある案内孔１１Ｂとを備える構成であることを特徴とするシステム手帳用テンプレート。【選択図】図１
0003114204.tif 000002
【実用新案登録請求の範囲】
【請求項１】
システム手帳に用いるテンプレートにおいて、プラスチック板などで形成されたテンプレート本体と、このテンプレート本体の一縁に沿って規則的に配置されて形成された複数個のファイリング孔と、前記テンプレート本体に形成された透孔形式の形態表現孔群と、  前記ファイリング孔は少なくとも手帳が備えるファイリングリングに保持される２つ以上の孔と、これらの孔の中間位置に穿けてある案内孔とを備える構成であることを特徴とするシステム手帳用テンプレート。
【請求項２】
前記ファイリング孔は少なくともファイリング孔とテンプレート本体の端縁との間がスリットで開放されていることを特徴とする請求項１記載のシステム手帳用テンプレート。
【請求項３】
前記形態表現孔群は笑顔、泣き顔、怒り顔などを表現する透孔群であることを特徴とする請求項１記載のシステム手帳用テンプレート。
【請求項４】
前記形態表現孔群は挨拶表現する透孔群であることを特徴とする請求項１記載のシステム手帳用テンプレート。
【請求項５】
前記形態表現孔群は日本語を含まない言語ならびに、あるいは記号などを表現する透孔群であることを特徴とする請求項１記載のシステム手帳用テンプレート。
【請求項６】
前記形態表現孔群の領域外に突起、あるいは透孔を形成して円形を描く際に中心位置とすることができるようにしたことを特徴とする請求項１記載のシステム手帳用テンプレート。
【請求項７】
前記形態表現孔群の領域外に芯あるいは、ボールペン先入れることができる小孔を一定間隔で穿設して円形を描く際のガイドすることができるようにしたことを特徴とする請求項６記載のシステム手帳用テンプレート。
【請求項８】
前記ファイリング孔は少なくともファイリング孔とテンプレート本体の端縁との間がスリットで開放されていて、スリットの端縁では切り欠きが施されていることを特徴とする請求項１ないし４記載のシステム手帳用テンプレート。
【考案の詳細な説明】
【技術分野】
【０００１】
本考案はシステム手帳用テンプレートに関し、さらに詳しくは、手帳に記載する内容にユーモア、ウィット、面白味、あるいは図形作成の補助具としての機能を付加できるようにしたテンプレートに関する。
【背景技術】
【０００２】
学生はもちろんこと、ビジネスマンには不可欠のアイテムにまで普及したシステム手帳は、予定管理をはじめとして取材メモとしての機能、あるいは、ノートブックとしての機能などが小型の記録アイテムの中に集約されたものして、多くの人々に受け入れられて普及したものである。
さらに機能を向上させるために、出張の多い人達に利用価値の高い、地域の地図や、鉄道などの案内図が収録されたものが知られている。これらの案内図などは、システム手帳が備えるファイリング金具を利用して綴り込むことが可能になっていて、必要に応じて案内図を、列車の時刻表に置き換えたりして、あるいは、両者を合わせ綴り込んで使用されるものである。
とくに、メモランラムとして用いる場合、白紙のリフィルに単に文字のみならず記号などもあわせ用いられている。
また、最近ではリフィルの一つとして、薄型の計算機をリフィルの上に搭載して、これをファイリング金具を利用して綴り込むことで計算機を搭載したシステム手帳も知られている。
これにより、手帳の機能としては出先においても計算ができることから、営業マンや出張族に便利なものになっている。
【特許文献１】実用新案登録第３０６３５２８号公報
【考案の開示】
【考案が解決しようとする課題】
【０００３】
以上のようなシステム手帳は手帳本来の機能としては優れたものに進化しているが、遊び心が全くなく、たとえば中学生、高校などの生徒が用いる手帳などとしては若干物足りなさを感じている。
そこで、本考案は、システム手帳本来の機能はもちろんのこと、機能をさらに発展させて、メモを作成する場合にテンプレートを用いることができるようにして、手帳の使用に際してユーモアや、ウィットなどの遊び心を体験できるようにした。
【課題を解決するための手段】
【０００４】
先ず、本考案は、システム手帳に用いるテンプレートにおいて、プラスチック板などで形成されたテンプレート本体と、このテンプレート本体の一縁に沿って規則的に配置されて形成された複数個のファイリング孔と、前記テンプレート本体に形成された透孔形式の形態表現孔群と、前記ファイリング孔は少なくとも手帳が備えるファイリング金具に保持される２つ以上のファイリング孔と、これらのファイリング孔の中間位置に穿けてある案内孔とを備える構成であることを特徴とするものである。
【０００５】
これにより、テンプレートがファイリング金具に対して綴り込むことができるとともに、取り外しもでき、テンプレートを用いて任意の形態表現を描くことができる。
【０００６】
また、前記ファイリング孔は少なくともファイリング孔とテンプレート本体の端縁との間がスリットで開放されていることを特徴とするものであり、これにより、ファイリング金具を開放することなく取り外し、取り付けができる。
【０００７】
また、前記形態表現孔群は笑顔、泣き顔、怒り顔を表現する透孔群であることを特徴とするものであるから、他人に渡すメモに感情表現、ユーモアや、ウィットを添えることができる。
【０００８】
また、前記形態表現孔群は挨拶表現する透孔群であることを特徴とするものであるから、他人に渡すメッセージにユーモアや、ウィットを添えることができる。
【０００９】
また、前記形態表現孔群は日本語を含まない外国語、記号を文字として表現する際に使用する透孔群であることを特徴とするものであるから、他人に渡すメモに感情表現、ユーモアや、ウィットを添えることができる。
【００１０】
また、前記形態表現孔群の領域外に透孔、あるいは突起を形成し、小孔群を穿設したことを特徴とするものであり、これによりコンパスの代用として円形表現に使用することができる。
【００１１】
また、前記スリットのテンプレート本体の端縁においては切り欠きが施されている構成であることを特徴とするものであり、これにより、スリットの裂損を防止することができ、また、スリットの開放を容易にしている。
【考案の効果】
【００１２】
本考案のテンプレートは、ファイリング金具に対して綴り込むことができるとともに、取り外しもでき、テンプレートを用いて任意の形態表現を描くことができる。
また、ファイリング金具を開放することなく取り外し、取り付けができ、すばやく所期の文字を描くことができる。
また、システム手帳のファイリング金具を開放することなく、テンプレートの綴り込み、あるいは取り外しを容易に行うことができる。
また、システム手帳に対して着脱を繰り返し行うので、スリットの裂損を防止することもでき、テンプレートを心置きなく使用することができる。
また、形態表現孔群は笑顔、泣き顔、怒り顔などの喜怒哀楽顔を表現する透孔群であることを特徴とするものであるから、他人に渡すメッセージにユーモアや、ウィットを添えることができる。
また、テンプレートのコンパス機能をもたせたので、円形などの円弧表現に使用することができる。
【考案を実施するための最良の形態】
【００１３】
［実施例１］
以下、本考案の好ましい実施例を添付した図面に沿って説明する。先ず、図１において符号１０はテンプレート全体を示し、薄いプラスチックス製の板材で、透明、あるいは少なくとも半透明で、文字などが透けて見える程度の透明度のものにより成形されたもので、その大きさは、手帳のリフィルの大きさとの関係で定められ、厚さは手帳の内部に綴り込んであっても手帳本来の機能が損なわれないものに定められている。
実施例としては、テンプレートを構成する薄いプラスチックス製の板材は不透明であってもテンプレートとしては機能するので必ずしも透明、半透明の材料に限定されるものではない。
【００１４】
図面（とくに、図１）上、左端１０Ｌに沿って、システム手帳２０を構成するファイリング金具２１の間隔に対応した間隔でファイリング孔１１が６個穿けられている。６個のファイリン孔はシステム手帳のファイリング金具の数に対応したもので、その数は手帳の構成によって変えられる。
【００１５】
また、これらのファイリング孔１１は、一対のファイリング金具２１が閉じられた状態でテンプレート１０を保持できるファイリング孔１１Ａが少なくとも上下に一つずつ穿たれている。
【００１６】
また、上下のファイリング孔１１Ａ、１１Ａの間には、システム手帳２０が備えるファイリング金具２１の間隔に従って４個のファイリングガイド孔１１Ｂが穿たれている。
これにより、システム手帳にテンプレートをファイリングした状態で手帳をめくる作業においても、テンプレートはファイリング金具２１から外れることがなく、手帳のリフィルのめくり作業に支障を来すことはない。
【００１７】
そして、前記ファイリング孔１１、１１はテンプレート１０の端縁１０Ｅと直角の方向に沿って端縁１０Ｅに至る長さのスリット１２が形成されていて、このスリット１２部分を若干ねじって開くことで前記ファイリング金具２１が端縁１０Ｅまでの移動を可能にしている。
逆に、端縁１０Ｅからファイリング孔１１Ａまでファイリング金具２１移動させてファイリングすることができる。前記端縁１０Ｅのスリット１２の開放端はＶ形、あるいはＵ形の切り欠き１２Ａが形成されて、スリット１２にファイリング金具２１を導入する際のスリットの開放を円滑にしていて、スリットの裂損を防いでいる。
【００１８】
したがって、システム手帳のファイリング金具を開放することなくテンプレートだけを取り外すことができ、用済み後手帳にファイリングする場合にもファイリング金具を開放する手間が必要ないことから、手帳のリフィルに挨拶などのメッセージをメモして、このリフィルを他人に手渡す場合にも容易に作業を行うことができる。
【００１９】
また、各ファイリングガイド孔１１Ｂにはファイリング孔１１Ｂの直径より小さく、かつファイリング金具２１の幅より大きいガイド溝１３が形成されていて、このガイド溝１３に対してファイリング金具２１は移動させることができるようになっている。
【００２０】
このようなテンプレート１０は図２、図３に示すように、笑う顔によって気分を表現した笑顔シリーズとして、テンプレート、笑顔版１０１と、日常の挨拶を記号化した挨拶版１０２とが用意されている。
そして、各テンプレート１０に形成された笑顔版１０１はテンプレートを貫いた透孔により形態表現孔１４が形成されている。
たとえば、笑うシリーズテンプレート版１０１は、笑い声「ハハハハ」と笑顔形態１０１Ａの形態が透孔１４により表現されていて、さらに、必要に応じて、笑顔の形態１０１Ａに文字１０１Ｂを添えて形成されている。
このように、単純形状を組み合わせて構成される形態が打ち抜き孔形式により１０１ｅｎｄまでの笑顔形態１０１Ａの透孔により複数形成されている。
以上の説明では、笑い顔を描いた笑顔版１０１について説明したが、泣き顔を描いたもの、あるいは怒り顔をそれぞれ透孔群で形成したテンプレートを構成することができる。
【００２１】
また、日本語を描く透孔群のほかアルファベットはじめとして、ロシア語、数学記号などにより透孔群を形成して、これらの中から任意の透孔を用いて日本語を表現することで、いわゆるギャル文字を描く際に使用できるようにしたテンプレートを構成することができる。
【００２２】
また、図３に示すものは、日常の挨拶を形態化したもので、たとえば、「こんにちは」として括弧や、ハイフン、逆Ｖ型の透孔により挨拶形態１０２Ａ以下、・・・・・・１０２ｅｎｄに至る複数種類の挨拶の形態表現孔が透孔１４により形成されて形態表現孔群になっている。
【００２３】
これらの形態表現孔群１０１、１０２はシャープペンシルの芯や、ボールペンのペン先が移動させることができる範囲の幅を持った孔であり、これら孔の内側の縁は「ばり」などが形成されていない滑らかな直線、あるいは曲線であることが望ましい。
また、テンプレート１０は打ち抜き成形や、射出成形などいずれの製造方法によっても得られるものである。
【００２４】
［実施例２］
本考案のテンプレート１０には、ファイリング孔１１Ａと、ファイリングガイド孔１１Ｂの２種類の孔を形成したものを説明に挙げたが、孔の種類には拘らず、すべてのファイリング孔１１Ａ、ファイリンガイド孔１１Ｂを独立した孔によってもテンプレートをシステム手帳にファイリングすることができる。
【００２５】
第１の実施例によるテンプレート１０によれば、システム手帳のファリング金具をすべて開放しなくてもテンプレート１０のみを取り外すことができるので、手帳が備えるリフィルなどに容易にテンプレートを取り外して笑顔や、挨拶入りのメッセージを記載することができる。
【００２６】
第２の実施例によれば、テンプレート１０を用いて笑顔を含む喜怒哀楽顔表現、あるいは挨拶形態を表現する場合には、システム手帳のファイリング金具をすべて一旦開放して取り外すことが必要になる。
【００２７】
［実施例３］
第３の実施例によれば、図６、図７に示すように、ファイリング孔１１Ａをファイリングガイド孔１１Ｂに置き換えて、テンプレートの取り外し、取り付けの容易性みを向上されることができる。この場合、ファイリングガイド孔１１Ｂの大きさはファイリング金具２１より大きく、スリット１２に代えてガイド溝１３に置換えて構成することができる。
また、この実施例では、テンプレートをコンパス機能を持つものとして使用できるようにするために、笑顔、あるいは、挨拶形態１０１Ａ、１０２Ａの透孔１４の群れの領域の外に、コンパスの中心となる透孔１５を穿ち、さらには、必要に応じて、この透孔１５に脱着形式のピン１６を施してテンプレートを構成することができる。
また、ピン１６に代えてコンパスの中心軸に相当する場所にＶ形の小突起１６Ｘを表面から裏面に向かって突出形成し、円形を描く際の中心点とすることができる。
【００２８】
これにより、テンプレート１０を紙面に置き、前記透孔１５に鉛筆の芯、あるいはボールペンの先を入れて中心を定め、他の任意の透孔群からひとつを選び、回転させることで円を描くことができる。なお、符号１７はピリオットや、点の表現に使用したり、コンパス機能に使用する小孔を示している。
【００２９】
この小孔１７を透孔１５から直線状に一定間隔に、たとえば、１ｃｍごとに穿っておくとセンチ単位で半径の異なった円任意の径の円を描くことができる。
【産業上の利用可能性】
【００３０】
以上の実施例では、６孔形式のシステム手帳を例にして説明したが、孔の数には捉われず、４孔形式、あるいはそれ以上の手帳に採用することができる。
また、テンプレートの種類も算数における円や、奇跡描写の図形表現部材として使用することができる。
【図面の簡単な説明】
【００３１】
【図１】本考案のテンプレートを示す平面図である。
【図２】本考案のテンプレートのうち笑顔を表現した形態を示す平面図である。
【図３】本考案のテンプレートのうち挨拶を表現した顔形態を示す平面図である。
【図４】図１における４−４線に沿った拡大断面図である。
【図５】システム手帳にテンプレートを装着してこれを開いた状態の斜面図である。
【図６】テンプレートの他の実施例を示す斜面図である。
【図７】図６にける７−７線に沿った断面図である。
【符号の説明】
【００３２】
１０      テンプレート
１０Ｌ    左端
１０Ｅ    端縁
１１Ａ    ファイリング孔
１１Ｂ    ファイリングガイド孔
１２      スリット
１３      ガイド溝
１４      形態表現の透孔
１５      コンパスの透孔
１６      ピン
１６Ｘ    小突起
１７      小孔
１０１    笑顔のテンプレート
１０２    挨拶のテンプレート
１０１Ａ  笑顔形態孔群
１０２Ａ  挨拶形態孔群
【図１】
0003114204.tif 000003
【図２】
0003114204.tif 000004
【図３】
0003114204.tif 000005
【図４】
0003114204.tif 000006
【図５】
0003114204.tif 000007
【図６】
0003114204.tif 000008
【図７】
0003114204.tif 000009